(57)【要約】  ドック建造装置は、地上範囲上で支持されるように構成された第１部分（１２）と、建設範囲の上に突出するための第２部分（１４）と、を有するカンチレバーアーム（１１）を備えている。カンチレバーアーム（１１）は、カンチレバーアームの長さと垂直に動くことが可能である。装置は、地上範囲からカンチレバーアームの第２部分へ基礎部材を含む建設材料を運ぶためにカンチレバーアームに沿って移動可能である持上デバイス（１９）と、建設範囲に基礎部材を据え付けるためにカンチレバーアームに沿って移動可能である基礎建造ツール（１５）と、をさらに含んでいる。
2015530331.tif 000002
【特許請求の範囲】
【請求項１】
−  地上範囲上で支持されるように構成された第１部分（１２）と、建設範囲の上に突出するための第２部分（１４）と、を有するカンチレバーアーム（１１）であって、前記カンチレバーアームの長さと垂直に動かすことが可能である、カンチレバーアーム（１１）と；
−  前記地上範囲から前記カンチレバーアーム（１１）の前記第２部分へ基礎部材を含む建設材料を運ぶために前記カンチレバーアーム（１１）に沿って移動可能である持上デバイス（１９）と；
−  前記建設範囲に前記基礎部材を据え付けるために前記カンチレバーアームに沿って移動可能である基礎建造ツール（１５）と；
を備えることを特徴とするドック建造装置。
【請求項２】
前記カンチレバーアームの前記第２部分を支持するために、前記カンチレバーアーム（１１）の前記第２部分（１４）に取り付けられ且つ前記建設範囲の地面上に載置するように構成された支持部材（１８）をさらに備えていることを特徴とする請求項１に記載のドック建造装置。
【請求項３】
前記支持部材（１８）が、前記カンチレバーアーム（１１）の先端に位置付けられていることを特徴とする請求項２に記載のドック建造装置。
【請求項４】
前記支持部材（１８）が格納可能であることを特徴とする請求項２又は３に記載のドック建造装置。
【請求項５】
前記支持部材（１８）が、折り曲げること及び／又は持ち上げることによって格納可能であることを特徴とする請求項４に記載のドック建造装置。
【請求項６】
前記持上デバイス（１９）が、前記カンチレバーアーム（１１）に沿ってスライド可能な少なくとも１つのガントリークレーンを備えていることを特徴とする請求項１から５のいずれか一項に記載のドック建造装置。
【請求項７】
前記基礎建造ツールが、パイル打込機（１５）を備えていることを特徴とする請求項１から６のいずれか一項に記載のドック建造装置。
【請求項８】
前記持上デバイス（１９）が、前記パイル打込機（１５）と統合され、且つ前記カンチレバーアーム（１１）に沿って前記パイル打込機とともに移動可能であり、これにより、パイル（７）をピックアップして前記パイルを前記パイル打込機の打ち込み位置に位置決めすることを特徴とする請求項７に記載のドック建造装置。
【請求項９】
前記パイル打込機が、鉛直方向（Ｚ）に対して所定角度でパイルを打ち込むことによって傾斜した基礎を据え付けるように構成されていることを特徴とする請求項７又は８に記載のドック建造装置。
【請求項１０】
−  カンチレバーアームが、地上範囲上で支持された第１部分（１２）と、建設範囲の上に突出する第２部分（１４）と、を有するように、海岸線に沿って第１位置に前記カンチレバーアーム（１１）を配置するステップと；
−  少なくとも１つの基礎部材を据え付けるために規定された前記第２部分の所定位置へ前記カンチレバーアームに沿って基礎建造ツール（１５）を移動させるステップと；
−  前記カンチレバーアームに取り付けられた持上デバイス（１９）により前記地上範囲上の前記基礎部材をピックアップするステップと；
−  前記第１部分から前記規定された位置へ前記カンチレバーアームに沿って前記持上デバイスを移動させるステップと；
−  前記基礎建造ツールを使用して前記建設範囲に前記基礎部材を据え付けるステップと；
−  前記海岸線に沿って第２位置へ前記カンチレバーアームと垂直に前記カンチレバーアームを動かすステップと；
−  前記第２位置において前記カンチレバーアームで、前記カンチレバーアームに沿って前記基礎建造ツール（１５）を移動させるステップと、少なくとも１つの基礎部材をピックアップするステップと、前記カンチレバーアームに沿って前記持上デバイス（１９）を移動させるステップと、前記基礎部材を据え付けるステップと、を繰り返すステップと；
を備えることを特徴とするドックの建造方法。
【請求項１１】
前記カンチレバーアーム（１１）を配置するステップが、前記カンチレバーアームの前記第２部分（１４）を支持するために、前記建設範囲の地面上に載置する支持部材（１８）を設置するステップを備えることを特徴とする請求項１０に記載の方法。
【請求項１２】
前記支持部材（１８）が、前記カンチレバーアーム（１１）の先端に設置されていることを特徴とする請求項１１に記載の方法。
【請求項１３】
−  前記持上デバイス（１９）により前記地上範囲上のデッキ部分をピックアップするステップと；
−  前記カンチレバーアームの前記第１部分から前記第２部分へ前記カンチレバーアームに沿って前記持上デバイスを移動させるステップと；
−  前記基礎部材上に前記デッキ部分を据え付けるステップと；
をさらに備えることを特徴とする請求項１０から１２のいずれか一項に記載の方法。
【請求項１４】
前記基礎部材が、前記基礎建造ツール（１５）を使用して前記地面に打ち込まれるパイルを備え、前記デッキ部分が、前記パイルの頂部に取り付けられるビームと、前記ビームによって支持されるパネルと、を備えていることを特徴とする請求項１３に記載の方法。
【請求項１５】
デッキと、請求項１０から１４のいずれか一項に記載の方法を使用して据え付けられた複数のパイルを備える基礎と、を備えるドック。
【発明の詳細な説明】
【技術分野】
【０００１】
本発明は、全体として、建設装置、より具体的に、カンチレバーアームに沿って移動可能であり且つ海岸線に沿ってドックを建造するように構成された基礎建造ツールを有するカンチレバーアームを有するドック建造装置に関する。
【背景技術】
【０００２】
他のタイプの建設に対していかなる限定もなく且つ本発明のために、ドック（又は埠頭）は、船を係留又は停泊するための、且つ品物及び乗客を乗せ且つ降ろすための海洋用構造体を説明するために使用される一般用語である。ドックは、大抵、海岸線とつながっている。
【０００３】
埠頭の建設は、大きく２つの部類に分類される：閉鎖又は一体構造の埠頭と、デッキがパイル上に支持される開放構造の埠頭と、である。開放型埠頭のデッキは、パイル上に支持され、構造体全体は、全体が見えるように開放している。
【０００４】
パイルは、通常、鉄筋コンクリート、プレストレストコンクリート又はスチールのどれであってもよい。一般に、パイルは、２つの大きなカテゴリー：打ち込まれるパイル及びその場で形成されるパイルに分けられる。打ち込まれるパイルは、基礎ツールによって地面に打ち込まれるパイルである。その場で形成されるパイルは、まず、大径の孔を掘削し、その後、コンクリート及び構造的補強材で孔を充填することによって地面に形成されるパイルである。ケース型又はジャケット型パイルとしても公知である２つの組み合わせは、概して、スチールパイプパイルを備え、スチールパイプパイルは、地面に打ち込まれ、そのコンクリートが空にされ、且つその後、鉄筋コンクリートで再充填される。
【０００５】
パイルに載る埠頭の建設は、概して、基礎建造装置、例えば、パイル打ちもしくは振動ハンマーであって、船上に据え付けられるか、すでに据え付けられたパイルの頂部上に設置された仮のデッキ上に据え付けられるか、又はより簡単に海岸上に据え付けられた、パイル打ちもしくは振動ハンマーを使用してなされる。
【０００６】
複数の制限が、この従来の方法から生じる。例えば、これら制限は、非常に長い建築時間、地面（海底）沈殿物のさまざまなタイプに関連する困難性及び／又は防波堤に取り付けられていたがれきの存在と、パイルレーンの離間及び／又は整列に関する困難性と、に関する。これらは、基礎設備が、基礎位置への近いアクセスが標準的である固い地面（海岸）上で動作するように構成されるので、基礎設備が、制限された到達範囲を有するという事実に起因している。この長さの制限は、最適でないデッキ構造を導く。さらに、建設プロセスの結果は、特に、不正確なパイルレーンの位置及び全体的な建設の不十分性に起因して、影響を与えられる。
【発明の概要】
【発明が解決しようとする課題】
【０００７】
本発明の目的は、上述した問題を解決し、土木工事における開放型構造を有するドック（埠頭）を建設するための改良された建設装置及び方法を提供することである。
【課題を解決するための手段】
【０００８】
本発明は、工業的な方式で海岸からドックを建造することを可能にする装置に及ぶ。本発明は、これら装置を使用する建造方法にも及ぶ。本発明を使用することによって、海での作業の手間を省くことを可能にする。さらに、埠頭構造体の建設における異なるステップ、例えば迅速なパイルの打ち込み及び／又は掘削と、デッキの建築と、が、一体化された装置を使用して実施することができる。さらに、パイル及びデッキの正確なＸ−Ｙ位置決めも得ることができる。
【０００９】
本発明は、地上範囲上で支持されるように構成された第１部分と、建設範囲の上に突出するための第２部分と、を有するカンチレバーアームであって、カンチレバーアームの長さと垂直に動かすことが可能である、カンチレバーアームと；地上範囲からカンチレバーアームの第２部分へ基礎部材を含む建設材料を運ぶためにカンチレバーアームに沿って移動可能である持上デバイスと；建設範囲に基礎部材を据え付けるためにカンチレバーアームに沿って移動可能である基礎建造ツールと；を備えるドック建造装置を提供する。
【００１０】
一実施形態では、ドック建造装置は、カンチレバーアームの第２部分を支持するために、カンチレバーアームの第２部分に取り付けられ且つ建設範囲の地面上に載置するように構成された支持部材をさらに備えている。このような支持部材は、好ましくは、カンチレバーアームの先端に位置付けられ、且つ／又は折り曲げること及び／もしくは持ち上げることによって格納可能である。
【００１１】
持上デバイスは、カンチレバーアームに沿ってスライド可能な少なくとも１つのガントリークレーンを備えてもよい。
【００１２】
基礎建造ツールは、特別な一実施形態においてパイル打込機を備えている。
【００１３】
持上デバイスが、パイル打込機と統合され、且つカンチレバーアームに沿ってパイル打込機とともに移動可能であり、これにより、パイルをピックアップしてパイルをパイル打込機の打ち込み位置に位置決めしてもよい。パイル打込機が、鉛直方向に対して所定角度でパイルを打ち込むことによって傾斜した基礎を据え付けるように構成されてもよい。
【００１４】
本発明の別の側面に従えば、上述した装置を使用するドックを建造する方法が提供される。方法は：カンチレバーアームが、地面範囲上で支持された第１部分と、建設範囲の上に突出する第２部分と、を有するように、海岸線に沿って第１位置にカンチレバーアームを配置するステップと；少なくとも１つの基礎部材を据え付けるために規定された第２部分の所定位置へカンチレバーアームに沿って基礎建造ツールを移動させるステップと；カンチレバーアームに取り付けられた持上デバイスにより地上範囲上で基礎部材をピックアップするステップと；第１部分から前記規定された位置へカンチレバーアームに沿って持上デバイスを移動させるステップと；基礎建造ツールを使用して建設範囲に基礎部材を据え付けるステップと；海岸線に沿って第２位置へカンチレバーアームと垂直にカンチレバーアームを動かすステップと；第２位置においてカンチレバーアームで、カンチレバーアームに沿って基礎建造ツールを移動させるステップと、少なくとも１つの基礎部材をピックアップするステップと、カンチレバーアームに沿って持上デバイスを移動させるステップと、基礎部材を据え付けるステップと、を繰り返すステップと；を備える。
【００１５】
方法の一実施形態では、カンチレバーアームを配置するステップが、カンチレバーアームの第２部分、例えばカンチレバーアームの先端を支持するために、建設範囲の地面上に載置する支持部材を設置するステップを備える。
【００１６】
方法は、持上デバイスにより地上範囲上のデッキ部分をピックアップするステップと；カンチレバーの第１部分から第２部分へカンチレバーアームに沿って持上デバイスを移動させるステップと；基礎部材上にデッキ部分を据え付けるステップと；をさらに備える。基礎部材が、基礎建造ツールを使用して地面に打ち込まれるパイルを備え、デッキ部分が、概して、パイルの頂部に取り付けられるビームと、ビームによって支持されるパネルと、を備えている。
【００１７】
本発明のさらに別の側面は、デッキと、上述した方法を使用して据え付けられた複数のパイルを備えた基礎と、を備えるドックに関する。
【００１８】
本発明のさらなる特徴及び利点は、添付の図面を参照して非限定的な例のために与えられる以下の実施形態の詳細な説明を参照することによって明らかになるであろう。
【図面の簡単な説明】
【００１９】
【図１】従来技術による海岸に沿って建設中のドックの斜視図である。
【図２】本発明の一実施形態によるドックを建造するための装置の斜視図である。
【図３】図２の実施形態による装置を使用して建設中のドックの別の斜視図である。
【発明を実施するための形態】
【００２０】
図１には、海岸２に沿うドック１の建設が示される。海岸線３は、図１において、符号Ｘで表される縦方向に沿って延在している。ドック１は、海岸２の縦方向Ｘに対する横方向Ｙにおいて幅ｄを有するデッキ４を有している。ドックは、複数の予め製造されたデッキ部分、例えばビーム５及びデッキパネル６と、ドックの形態に従って複数の予め決定されたパイルレーン内に配置された複数のパイル７と、を含んでいる。パイル７は、デッキ４を支持するための基礎として働く。
【００２１】
縦方向及び横方向は、埠頭の平面において、二次元座標システムを構成する。このシステムの内部では、パイルレーンが、海岸線から順次的に横方向に延在し、且つパイルレーンの間に予め決定されたスペースを有してＸ方向に離間している。海岸線と等距離にある異なるレーンからのパイルは、パイルの列を形成する。このように、各パイルは、埠頭の建設前に規定されたアレイを形成するために正確なＸ−Ｙ座標が割り当てられる。各パイルレーンは、縦方向Ｘにおいて建設装置の作業位置に対応し、各パイルの列は、装置のカンチレバーアーム１１に沿う基礎建造ツールの打込位置に対応する。
【００２２】
図２に描かれるドック建造装置は、ドックを建造するための多機能装置である。本明細書において、用語“多機能”は、ドックの建設におけるさまざまなステップ、例えばパイルの打ち込み／掘削、積載物の持ち上げ、ドックの建築、海底もしくはチャネルの浚渫などを実行することができるものとして規定される。
【００２３】
当分野において公知である任意のパイル打込技術が、図２ｂのドック建造装置において使用可能である。
【００２４】
海岸２に沿ってパイルを打ち込むための形態では、ドック建造装置１０は、ドックの幅の横方向Ｙに配置されたカンチレバーアーム１１を含んでいる。カンチレバーアーム１１は、第１部分１２、すなわちガントリー部分を有する略水平構造体であり、第１部分１２は、例えば２つ以上の支持体１３を介して地上範囲上、すなわち海岸２上で支持されるように構成されている。カンチレバーアーム１１の第２部分１４、すなわちカンチレバー部分が、建設範囲の上に突出するために地上支持体１３から片持梁するように構成される。建設範囲は、水中であってもよいが、必ずしもこのケースであるわけではない。
【００２５】
１つ以上の基礎建造ツール、例えばパイル打込機１５が、建設範囲に基礎部材を据え付けるために、カンチレバーアーム１１上に据え付けられ、且つカンチレバーアーム１１に沿って、すなわち方向Ｙに沿って移動可能である。
【００２６】
持上デバイス１９が、地上範囲からカンチレバーアーム１１の第２部分へ建設範囲にわたって、基礎部材を含む建設材料を運ぶためにカンチレバーアーム１１に沿って移動可能となるように構成されている。
【００２７】
海岸線と平行な線に配置された、装置１０の支持体１３は、海岸に沿って移動可能である。従って、カンチレバーアーム１１は、カンチレバーアームの長さと垂直に動く能力、すなわち、海岸の縦方向Ｘをたどってサイドへ移動させられる能力を有している。
【００２８】
このために、これら支持体は、海岸に沿って配置された、固定されるか又は仮の運搬路１６上で、ホイールのような移動手段に載っている。支持体１３は、海岸の地面上の装置１０から重い積載物を広げる。また、このような形態は、重い仮の基礎の必要性を制限する。運搬路１６は、カンチレバーアーム１１を備える装置１０の前進に付随するようにセグメントからなり且つ取り除くことができる。
【００２９】
装置１０のカンチレバーアーム１１は、通常、例えばトラス又は箱桁の形態にある、２つの平行なスチールビーム１７から構成される。また、カンチレバーアーム１１は、建設範囲の上に突出するように構成され且つガントリー部分１２から直接延在して地上支持体１３から片持梁するように構成された第２部分１４を有している。このような構造は、港での工事で使用される従来のレールに取り付けられたガントリークレーンと同様である。しかしながら、カンチレバーアーム１１におけるガントリー部分のガントリー長さ及びカンチレバー部分の到達範囲は、ともに、埠頭の建設における主要作業、例えばパイル及び他の材料の搬送及び打ち込み、デッキの建築、浚渫などを容易にするのに十分大きく、且つこれら作業に適合している。
【００３０】
カンチレバーアームのカンチレバー部分の到達範囲は、例えば、数十メートルのオーダーであり、深喫水船を係留又は停泊するために、深海まで延在する埠頭を建造することを可能にする。
【００３１】
パイルを打ち込むように構成される場合、ドック建造装置は、少なくとも１つの基礎建造ツール、例えばパイル打込機１５（パイル打ちもしくは振動ハンマー又は回転コア掘削機など）を備え、これにより、建設範囲の地面にパイルを打ち込む。パイル打込機１５は、装置のカンチレバーアーム１１に沿って移動可能である。パイル打込機は、概して、２つの平行トラス上に固定されたレール上で回転するトロリー上に据え付けられている。パイルを適切な位置に搭載すると、パイル打込機は、例えばパイル打込機のヘッドに備えられたケーブル及びプーリーによってパイル打込機上に統合された適切な持上手段によってパイルをピックアップするために移動可能である。好ましくは、パイルは、以下で説明されるカンチレバーアームに取り付けられた他の持上手段によってピックアップされる。
【００３２】
パイル打込機にパイルが詰め込まれると、パイル打込機は、通常、カンチレバー部分１４上の鉛直位置に回転されてロックされ、そして、パイルは、地面に打ち込まれる。
【００３３】
また、パイル打込機は、予め決定された角度での傾斜位置でパイル打込機をロックすること及びこの角度でパイルを打ち込むことによって傾斜した基礎を据え付けるために、鉛直方向Ｚに対して所定角度で傾斜させられてもよい。傾斜位置は、パイル打込機の鉛直位置周り且つ建設範囲の地面に向かういかなる角度であってもよい。有利には、パイル打込機は、パイル打込機内へのパイルの導入を容易にするために、海岸を向いて後方に据え付けられる。
【００３４】
基礎工事中に、有利には、さらなる仮の支持体が、装置を安定させるため且つパイルの打込中に衝撃及び／又は振動によって引き起こされる設備の損傷を回避するために使用される。そして、装置１０は、カンチレバーアーム１１の第２部分１４に取り付けられたさらなる支持部材１８、例えば前方脚を備え、これにより、海岸線を越えるカンチレバーアームの第２部分を支持する。
【００３５】
支持部材１８は、好ましくは、格納可能であり、且つカンチレバー部分の先端に据え付けられる。支持部材１８は、打込作業中にカンチレバーアームの第２部分を支持するために、建設範囲の地面（海底）上に載置するように構成されている。装置が動かされる必要がある場合、又は工程がこの支持部材を必要としない場合、支持部材１８は、格納される。格納は、当分野で公知のように折り曲げること又は持ち上げることによって得ることができる。
【００３６】
パイルを地上範囲からピックアップしてカンチレバーアームに沿って搬送し且つパイル打込機に届けるために、装置１０は、好ましくは、個別の持上デバイス、例えばカンチレバーアーム１１に取り付けられ且つカンチレバーアーム１１に沿ってスライド可能な少なくとも１つのガントリークレーン１９を備えている。用語“個別の”は、上記持上デバイスが、パイル打込機と異なり且つ独立して使用することができることを意味する。
【００３７】
実施を容易にするために、パイルは、概して、地上範囲上に且つ地上支持体１３に接近して、例えば、図３に示されるようにカンチレバーアームの２つの平行トラス１７に隣接して且つ２つの地上支持体１３を受ける運搬路の間に保管されている。パイルは、持上デバイス１９、例えばガントリークレーンによってピックアップされ、且つカンチレバー部分１４及びパイル打込機１５へ、持上デバイス１９とともにカンチレバーアーム１１に沿って移動される。そして、パイルは、例えば、当分野で公知なようにパイル打込機のヘッド上に据え付けられた適切な手段によってパイル打込機に届けられて導入される。持上デバイスがパイル打込機上に統合される場合（図示せず）、パイルをピックアップするためにパイル打込機自体が移動する。
【００３８】
埠頭の建設前に、装置は、カンチレバーアーム１１の第１（ガントリー）部分１２が海岸の地面上で支持され且つ第２（カンチレバー）部分１４が建設範囲の上に突出するように、海岸線に沿って第１位置にカンチレバーアーム１１を配置することによって地上範囲上で組み立てられる。
【００３９】
カンチレバーアーム１１は、海岸に沿って組み立てられて回転することができる。カンチレバーアーム１１は、その作業位置に整列して組み立てられて建設が開始されることもできる。
【００４０】
埠頭の建設中に、図３に示されるように、概してパイルを使用して、まず、基礎が建造される。このために、装置は、予め決定されたパイルレーンＸｎ（ｎ＝１，２，・・・，Ｎ）と整列されたカンチレバーアーム１１を有するように設置される。符号Ｎは、パイルレーンの最大数である。基礎工事が、構造体に重荷重及びかなりの振動を作り出す可能性があるので、必要であれば、仮の前方脚１８が、カンチレバーアーム１１をさらに支持及び強化するために据え付けられる。
【００４１】
そして、パイル打込機１５が、少なくとも１つの基礎部材を据え付けるために規定された第２部分１４における所定位置までカンチレバーアーム１１に沿って移動する。このような規定された位置は、Ｙｍ（ｍ＝１，２，・・・，Ｍ）と称される。符号Ｍは、パイルの列の最大数である。
【００４２】
カンチレバーアーム１１に取り付けられた移動可能なガントリークレーン１９は、地上範囲上で１つのパイルをピックアップし、第１部分１２から第２部分１４へカンチレバーアームに沿って移動する。ガントリークレーン１９によってピックアップされて搬送されたパイルは、その後、パイル打込機１５へ、好ましくは打ち込むために規定された位置の上方へ届けられる。
【００４３】
その後、パイルは、パイル打込機に導入され、規定された位置Ｙｍで建設範囲に打ち込まれる。そして、パイル打込機１５は、同じレーンＸｎにおいて次のパイル位置Ｙｍ＋１へ移動され、この次のパイル（Ｘｎ，Ｙｍ＋１）のためにもう一度順序が行われる。
【００４４】
レーンＸｎのすべてのパイルが据え付けられると、支持部材１８が格納される。カンチレバーアーム１１を備える装置１０は、その後、次のパイルレーンＸｎ＋１まで縦方向Ｘにおいて海岸線に沿ってサイドに動かされる。次のパイルレーンＸｎ＋１を対象としたパイルは、パイルレーンＸｎ＋１のＸ位置に近く保管されている。上述したものと同じ順序が、パイルの建造が完了されるまで繰り返される。
【００４５】
あるいは、１列のパイルがまず打ち込まれ、このことは、装置が、まず予め決定された同じパイルの列Ｙｍ、好ましくは海岸線から第１列Ｙ１ですべてのパイルを打ち込むことを意味する。その後、異なるパイルの列のパイルが、全パイルアレイの建造が完了されるまで打ち込まれる。
【００４６】
いくつかの形態では、例えば島又は半島の両側に埠頭を建造するために、装置は、共通のガントリー部分１２の両側で延在し且つ地上範囲を越えて延在する２つのカンチレバー部分１４を有することができる。このような形態では、パイルの操作を容易にするため且つ両側で同時に建造ステップを実行するために、アーム１１に沿ってより多くのガントリークレーンを配置することが有益である。
【００４７】
パイルを打ち込むことに加えて、本発明による装置は、埠頭建設の他のステップ、例えば材料の持ち上げ、デッキの建築、海底の浚渫などに使用することができる。このように、単一の装置が、建設におけるほとんどの主要作業を実行することができる。結果として、建設の能力及び効率は、改善される。
【００４８】
例えば、装置は、デッキを建築するために使用することができる。そのサイドに移動する能力と、カンチレバーアームに沿って移動するガントリークレーンと、によって、デッキパネルは、構造上任意のポイントに運ばれることができる。このために、持上デバイス１９は、地上範囲上のデッキ部分をピックアップし、カンチレバーアームの第１部分から第２部分へカンチレバーアームに沿って移動し、これにより、基礎部材上にデッキ部分を据え付ける。
【００４９】
装置は、予め製造されたスチール及び／又はコンクリート要素（ビーム、パネル）を据え付けるために使用することができる。装置は、コンクリート製設備のための支持体として使用することもできる。この状況では、前方脚は、プロセスの速度低下を回避するために使用されなくてもよい。
【００５０】
さらに、パイルの打ち込み及びデッキの建築は、同じ装置によって又は別の個別の装置、例えば建設の状態により必要であればデッキを建築するための図１に示されるような従来の移動可能なクレーンとの組み合わせによって同じ順序又は連続的な順序で実行することができる。
【００５１】
デッキが建造されると、装置は、埠頭の前方に片持梁して前方に動くこともできる。この時点で、装置は、波止場の前方で浚渫するために使用することができる。
【００５２】
ドックの平面での装置の縦移動及び横移動は、二次元座標システムを構成し、二次元座標システムの内部では、各パイルが、正確なＸ−Ｙ座標に割り当てられる。従って、各パイルは、埠頭の形態に従って予め決定された正確な位置で打ち込まれる。これは、デッキ要素の正確な建設をもたらす。陸上又は船を拠点とするパイル打込機及びクレーンが操作者の経験、地理的条件、天候などに依存するので、打ち込み及び建築作業の精度及び効率は、従来の方法よりも優れて大幅に改善される。
【００５３】
公知の位置決めシステム及び／又はリモートシステムとともに作業する場合、パイル打ち込み及びデッキ建築工程は、制御デバイス、例えばコンピュータのシンプルなＸ−Ｙ移動を使用して自動化することができる。理解されるように、本発明による基礎建造ツールのＸ−Ｙ移動は、ドック、例えば最新世代のコンテナ船又は貨物船に使用される埠頭のために、大きな尺度での建設、例えば５０メートル×３５０メートルの到達範囲に拡張可能である。
【００５４】
カンチレバー部分の潜在的に大きな距離により、本発明の建設装置は、パイル上の建設のためのサイドアクセスがしばしば困難又は不可能であるときに、特に有利である。
【００５５】
本発明の多くの修正及び変更が、上記の教示を考慮してなされることが可能である。例えば、より多く又は異なる基礎装置及び持上デバイスが、カンチレバーアームに配置されてもよく；パイル又は他の建設材料が、必要に応じてガントリー部分の下の代わりに別のカンチレバー部分の下にストックされてもよい。さらに、本発明のドック建造装置は、他の分野の建設、例えば橋もしくは道路の側部の延長又はパイル上の他の建設物などで使用されてもよい。従って、本発明は、添付の特許請求の範囲内で、特別に記載される場合を除いて実施されてもよいことが理解されるべきである。
【符号の説明】
【００５６】
７  パイル、１１  カンチレバーアーム、１２  第１部分、１４  第２部分、１５  基礎建造ツール、１８  支持部材、１９  持上デバイス、Ｚ  鉛直方向
【図１】
2015530331.tif 000003
【図２】
2015530331.tif 000004
【図３】
2015530331.tif 000005
【国際調査報告】
2015530331.tif 000006
2015530331.tif 000007